(57)【要約】【課題】記録予約をした複数の番組の記録時間が重複する場合に、ユーザにとってより好ましい番組を選択し、該番組を記録予約するように自動的に設定変更をする情報受信方法とその方法を用いた情報受信装置を提供する。【解決手段】番組及びサービス付加情報を受信する情報受信手段と、情報受信手段で受信された番組及びサービス付加情を記録する記憶手段と、情報受信手段により受信されたサービス付加情報が示す番組を記録予約する予約入力手段と、予約入力手段により記録予約された番組である予約記録目的番組の記録時間の重複を前記サービス付加情報から検出する記憶部制御手段と、記憶部制御手段が複数の予約記録目的番組の記録時間の重複を検知したことを伝達表示する表示手段とを備えた構成とした。【選択図】　　　図１
2004056795.tif 000002
【特許請求の範囲】
【請求項１】
番組及び番組に関連する情報であるサービス付加情報を受信する情報受信手段と、
前記情報受信手段が受信したサービス付加情報に基づいて作成された電子番組ガイドを用いて所望の番組を記録予約する予約入力手段と、
前記予約入力手段により記録予約された番組である予約記録目的番組の記録時間の重複を前記サービス付加情報から検出する記憶部制御手段と、
前記記憶部制御手段により記録時間の重複が検出された複数の予約記録目的番組の属するチャンネルが隣接表示されるように前記電子番組ガイドを再構成する番組表作成手段とを備えた、
ことを特徴とする情報受信装置。
【請求項２】
番組及び番組に関連する情報であるサービス付加情報を受信するステップと、
前記サービス付加情報に基づいて作成された電子番組ガイドを用いて所望の番組を記録予約するステップと、
前記記録予約された番組である予約記録目的番組の記録時間の重複を前記サービス付加情報から検出するステップと、
前記記録時間の重複が検出された複数の予約記録目的番組の属するチャンネルが隣接表示されるように前記電子番組ガイドを再構成するステップとを有する、
ことを特徴とする情報受信方法。
【発明の詳細な説明】
【０００１】
【発明の属する技術分野】
本願発明は、予約記録の可能な情報受信方法及びその方法を用いた情報受信装置に関するものである。
特に、本願発明は、記録することを目的に記録を予約する番組（以下、予約記録目的番組と呼ぶ）の放送開始時間が遅れた場合、または予約記録目的番組の放送時間が変更された場合に、他の予約記録目的番組の放送時間と重複した場合にも、ユーザにとってより好ましい番組が選択され、記録されることを可能とする情報受信方法及び情報受信装置に関するものである。　又、　本願発明は、番組内容を事前に紹介するサービス付加情報を受信する場合に、このサービス付加情報が示す番組を記録予約するか否かを自動的に判断し、その判断に基づいて自動的に記録予約をする情報受信装置に関するものである。
【０００２】
ここでサービス付加情報は番組予約のために必要な情報、例えば、番組名、番組の概要、放送時間、課金情報、配信形態及び番組のジャンル等の情報を含んだ情報である。またサービス付加情報は番組紹介のために単独で配信されるだけでなく、参考情報として番組の配信時に番組の内容であるコンテンツとともに配信されることがある。
【０００３】
【従来の技術】
放送される番組をその放送時間に見ることができないときに、記録装置にその番組の記録予約を行い、後に再生して見ることは一般的に行われている。この予約記録する番組、即ち、予約記録目的番組、の前の番組の放送時間が延長された場合に、確実に当該予約記録目的番組を記録する方法は、たとえば特開平７−６５４３６号公報、または特開平６−２５３２２１号公報で公知である。また記録を開始すべき時間が変更された場合に、その予約時間を変更することは特公平３−４０９７７号公報で公知である。
【０００４】
また、デジタル放送により多チャンネル化が進む中、電子番組ガイド（以下、ＥＰＧと記す）を利用して番組の記録予約をすることが可能になってきた。しかし、表示画面上に全チャンネルのＥＰＧを表示することができない場合、同一時間に複数の番組を重複して予約をしても画面上では確認できないので、そのまま重複して記録予約してしまう場合が出てくる。また複数の人が同一の記録装置を使用する場合、表示画面上に全チャンネルのＥＰＧを表示することができないと、他の人がどの番組を既に記録予約しているのかを画面上で全チャンネルにわたって認識することは非常に操作性を悪くするものである。一方、このような問題に対して、記録予約されている番組と同一時間内に他の番組を記録予約するよう指示しても受け入れられず、利用者に予約記録時間が重複していることを画面上で知らせるという技術が公知である。
【０００５】
【発明が解決しようとする課題】
上述のような予約記録目的番組の記録開始時刻が、その前の番組の放送時間の変更等により変更される場合、一般的には同時にその記録終了時刻も変更される。そのため、第１の予約記録目的番組に続けて他のチャンネルで記録予約されている第２の予約記録目的番組があった場合で、第１の予約記録目的番組放送時間の変更により記録終了時刻が変更された場合、第１の予約記録目的番組の記録時間と第二の予約記録目的番組との記録時間が重複してしまい、第二の予約記録番組の重複部分が記録されないという問題があった。
【０００６】
また、記録予約されている第３の番組に対して、この第３の番組の放送時間と同一時間内に第４の番組の記録予約を指示すると、第４の記録予約の指示は受け入れられず、利用者に番組が同一時間に重なっていることを画面上で知らせる従来例があることは前述の通りであるが、この従来例では、ユーザが画面上の表示により記録予約の重複を知った後に、どちらの番組を優先して記録するのかを検討して、予約記録の操作を再度行う必要が生じ、操作性が悪く不便であるという問題があった。
【０００７】
また、従来技術では新たに記録予約する番組の選択は自動的に行うことはできず、必ずユーザがその選択を行う必要がある。　そのため、予めユーザはサービス付加情報等から、　多くの番組の情報を常に調べて、　自分の好みの番組の放送予定を調べる必要があるという問題があった。
【０００８】
本発明は、複数の予約記録目的番組の記録時間が重複する場合に、サービス付加情報の番組情報等から判断して、ユーザにとってより好ましい番組を選択予約することにより、必要とする記録を自動的に行うことができる情報受信方法及びそれを用いた装置を提供することを目的とする。又、サービス付加情報を用いてユーザの好みの番組の記録予約を自動的に行うことができる情報受信方法及びそれを用いた装置の提供をすることを目的とする。
【０００９】
【課題を解決するための手段】
上記課題を解決するために、本発明（請求項１）に係る情報受信装置は、番組及び番組に関連する情報であるサービス付加情報を受信する情報受信手段と、前記情報受信手段が受信したサービス付加情報に基づいて作成された電子番組ガイドを用いて所望の番組を記録予約する予約入力手段と、前記予約入力手段により記録予約された番組である予約記録目的番組の記録時間の重複を前記サービス付加情報から検出する記憶部制御手段と、前記記憶部制御手段により記録時間の重複が検出された複数の予約記録目的番組の属するチャンネルが隣接表示されるように前記電子番組ガイドを再構成する番組表作成手段とを備えた、ことを特徴とする。
【００１０】
また、本発明（請求項２）に係る情報受信方法は、番組及び番組に関連する情報であるサービス付加情報を受信するステップと、前記サービス付加情報に基づいて作成された電子番組ガイドを用いて所望の番組を記録予約するステップと、前記記録予約された番組である予約記録目的番組の記録時間の重複を前記サービス付加情報から検出するステップと、前記記録時間の重複が検出された複数の予約記録目的番組の属するチャンネルが隣接表示されるように前記電子番組ガイドを再構成するステップとを有する、ことを特徴とする。
【００１１】
【発明の実施の形態】
実施の形態１．
図１は、本発明の実施の形態１による情報受信装置の構成を説明するための図である。以下、図１を用いて上記情報受信装置の構成を説明する。１１は静止画像もしくは動画像からなる映像信号，音声信号及び／もしくはデータを含む情報源、１２は映像信号及び／もしくは音声信号を所定の符号化方式、例えばＭＰＥＧ（Ｍｏｖｉｎｇ　Ｐｉｃｔｕｒｅ　Ｉｍａｇｅ　Ｃｏｄｉｎｇ　Ｅｘｐｅｒｔｓ　Ｇｒｏｕｐ）の規格に従って符号化する情報エンコード部、１３は伝送される番組を記録予約する番組として選択するために必要な情報であるサービス付加情報のうち改めて符号化する必要のない関連情報、及び、番組の内容であるコンテンツのうち改めて符号化の必要のない情報を生成する関連情報生成部である。該関連情報は、例えば番組を構成する映像，音声及びデータの種類，番組番号，放送開始時刻などであり、符号化の必要のない情報である。通常これらの情報は、ＭＰＥＧのシステム規格書（ＧＥＮＥＲＩＣ　ＣＯＤＩＮＧ　ＯＦ　ＭＯＶＩＮＧＰＩＣＴＵＲＥＳ　ＡＮＤ　ＡＳＳＯＣＩＡＴＥＤ　ＡＵＤＩＯ　：　ＳＹＳＴＥＭ　Ｒｅｃｏｍｍｅｎｄａｔｉｏｎ　Ｈ．２２２．０，ＩＳＯ／ＩＥＣ　１３８１８−１）、または欧州のデジタル放送規格であるＤＶＢのシステム規格書（Ｄｉｇｉｔａｌ　Ｖｉｄｅｏ　Ｂｒｏａｄｃａｓｔｉｎｇ（ＤＶＢ）ｓｙｓｔｅｍｓ，ＥＴＳ　３００４６８，Ｊａｎｕａｒｙ　１９９６）の規格に基づいて生成される。また、１４は符号化された信号と関連情報を多重化する多重化部、１５は伝送誤りに対する保護のためデータを加工する誤り訂正符号手段およびデジタル信号を送出するためのデジタル変調手段を含むチャンネルエンコード部である。また、１６は送信機，実際の伝送路，及び情報受信装置側のチューナで構成される伝送路である。
【００１２】
また、１００は、本実施の形態１による情報受信手段、即ち情報受信装置であり、１７はデジタル変調された信号を復調するデジタル復調手段と伝送路１６にて発生するデータ誤りに対する誤り訂正手段とで構成されるチャンネルデコード部、１８はチャンネルデコード部１７より出力された多重化されたデジタル信号を、符号化された映像信号、音声信号及び／もしくはデータ信号と関連情報とに多重分離する多重分離部、１９は上記符号化された信号を映像信号及び／又は音声信号に復号化する情報デコード部、２０は多重分離部１８から入力される復号化する必要のない関連情報を処理する関連情報処理部、２１は情報デコード部１９と関連情報処理部２０から出力される映像，音声及び／またはデータを合成する情報合成部、２４は情報合成部２１で合成された映像，音声及び／又はデータを出力する情報出力部である。また、２３は情報合成部２１の出力および外部信号入力部２２を介して入力される外部制御信号を入力とし、番組表即ちＥＰＧを作成して出力するとともに、番組やサービス付加情報等の信号の記録を制御する入出力情報制御部である。
【００１３】
また、１５０は入出力情報制御部２３が出力するＥＰＧを作成のためのサービス付加情報及び番組の予約記録に関する情報即ち番組記録予約情報を記憶する第１の記憶部２５と、記録対象の番組のコンテンツ、及び、コンテンツと同時に記録するサービス付加情報とを記録する第２の記憶部２６とで構成される記憶手段である。
図２は本実施の形態１の情報受信装置の入出力情報制御部２３の詳細な構成を示す図である。
【００１４】
図２において、２３ａは入出力情報制御部２３を介する情報の制御を行う中央処理装置（以降ＣＰＵと記す）である。２３ｂはＣＰＵ２３ａに接続された各手段を制御するためのプログラムが格納されたプログラムＲＯＭであり、ＣＰＵ２３ａがデータの書き込み，読み出し，検索などの制御を行うために用いられる。２３ｃはＣＰＵ２３ａが情報の演算，制御を行うときに一時的に情報を格納するためのワークＲＡＭである。２３ｄは情報合成部２１との間で映像，音声及び／又はデータからなる情報の受け渡しを行なう情報入出力手段である。２３ｅは外部信号入力部２２を介してユーザによる番組予約入力等の外部制御信号を入力する外部信号入力手段である。２３ｆは現在の時刻を計数する時計手段である。２３ｇは、後述する記憶部制御手段２３ｈが記録予約された複数の番組のサービス付加情報の時間情報を比較して記録時間が重複していることを検知したときに、記録時間が重複している番組のサービス付加情報を比較し、いずれの番組を記録するかを決定する選択手段と、後述する記録に関する諸条件を決定する手段とを合わせ持った比較・決定手段である。記憶部制御手段２３ｈは、情報合成部２１から受け取った情報を記憶手段１５０への記録、読み出しの制御を行う手段であり、更に、この記憶部制御手段２３ｈは、情報合成部２１から受け取ったサービス付加情報及び／もしくは記録予約の内容を示す番組記録予約情報を記憶手段１５０の第１の記憶部２５に記録し、上記番組記録予約情報に基づいて、記録対象である番組の内容であるコンテンツまたは該番組に関するサービス付加情報を伴ったコンテンツを記憶手段１５０の第２の記憶部２６に記録し、また、ＥＰＧ作成のために必要なサービス付加情報を第１の記憶部２５から読み出して後述する番組表作成手段２３ｉに提供し、さらに、記録予約された複数の番組のサービス付加情報の時間情報を比較して記録時刻が重複しているか否かを検知する機能を有する。番組表作成手段２３ｉは、第１の記憶部２５に記憶されたサービス付加情報に基づいてＥＰＧを作成し、情報出力部２４に対し出力する手段である。
【００１５】
次に、本実施の形態１による情報受信装置の動作について説明する。
まず、情報の送り手側に於て、情報エントリー部１２は情報源１１からの静止画像もしくは動画像からなる映像信号，音声信号及び／またはデータを符号化方式、例えばＭＰＥＧに規定される符号化方式に従って符号化し、また関連情報生成部１３は番組を選択するために必要なサービス付加情報、例えば番組のジャンル，データサイズ番組開始時刻及び番組終了時刻等の時間情報、などの情報のうち符号化の必要のない情報を生成し、多重化部１４は情報エンコード部１２と関連情報生成部１３から出力される信号を多重化する。その多重化は、例えばＭＰＥＧのシステム規格書もしくは欧州のデジタル放送規格であるＤＶＢのシステム規格書に従って行なわれる。チャンネルエンコード部１５は多重化されたデジタル信号に、伝送誤りに対する保護のためにデータを加工する誤り訂正符号手段及びデジタル信号を送出するためのデジタル変調手段である。伝送路１６はチャンネルエンコード部１５の出力信号を伝送する実際の伝送路である。
【００１６】
一方、情報受信手段である情報受信装置１００側においては、チャンネルデコード部１７は伝送路１６で伝送された信号に対し、デジタル復調、及び誤り訂正処理を行う。このチャンネルデコード部１７は、チャンネルエンコード部１５と逆の処理を行い、多重化部１４が出力する信号と同じ信号を多重分離部１８へ出力する。多重分離部１８は、チャンネルデコード部１７の出力信号の多重分離を行い、多重分離された信号は情報デコード部１９及び関連情報処理部２０に出力される。情報デコード部１９は入力される符号化された信号を例えばＭＰＥＧの規格に従って、映像もしくは音声信号等に復号化する。情報合成部２１は情報デコード部１９及び関連情報処理部２０から出力される信号を合成し、情報出力部２４及び入出力情報制御部２３に出力する。情報出力部２４に出力された信号は、映像信号は例えばモニタ表示部に、音声信号は例えばスピーカに、データ信号は例えばコンピュータ等に出力される。また、入出力情報制御部２３は、情報合成部２１から出力されるサービス付加情報を記憶部制御手段２３ｈを介して記憶手段１５０の第１の記憶部２５に記録すると共に、当該サービス付加情報の内容をＥＰＧへ追記する。前記の情報受信装置側の動作は図１１（ａ）　のステップ１と２に示されている。
【００１７】
次に、ＥＰＧを用いて番組の記録予約を行う予約入力手段の動作を、以下に説明する。
ユーザは、ＥＰＧの表示を要求する外部制御信号を外部信号入力部２２を介して入出力情報制御部２３に入力する。
番組表作成手段２３ｉは、ユーザによるＥＰＧの表示要求に応じて、記憶手段１５０の第１の記憶部２５に記憶されたサービス付加情報を記憶部制御手段２３ｈを介して読み出し、このサービス付加情報に基づいてＥＰＧを作成し（図１１（ａ）　のステップ３）、情報出力部２４に出力する。
【００１８】
情報出力部２４はＥＰＧをモニタ画面上に表示する（図１１（ｂ）　のステップ５）。ユーザは、画面上のＥＰＧをスクロールまたは画面切り替えを行い、いろいろなチャンネルの番組を検索し、希望する番組のセルを選択し、選択したセルに記載されている番組が予約記録目的番組であることを示す記号を付加する指示を外部信号入力部２２を介して入出力情報制御部２３の記憶部制御手段２３ｈに入力する（図１１（ｂ）　のステップ６）。その入力は、例えばリモコン装置やキーボードを用いて行われる。
【００１９】
記憶部制御手段２３ｈは第１の記憶部２５にＥＰＧ上で選択された予約記録目的番組の記録予約内容を示す番組記録予約情報を例えば図３に示すような形式で記録し（図１１（ｂ）　ステップ７）、その後定期的に「第１の記憶部２５に記録予約されている番組があるか」をチェックし、記録予約されている番組がある場合には、番組記録予約情報の記録開始時刻と時計手段２３ｆが出力する現在時刻とを比較して、当該番組の放送時間が来たときに、第２の記憶部２６に当該番組を記録する。
また、番組表作成手段２３ｉは、ＥＰＧに当該番組が予約記録目的番組であることを示すための識別記号は、例えば、予約記録目的番組のセルに網かけを施したり、表示色を他のセルと異ならせたりする方法がある。
【００２０】
このように、本実施の形態１による情報受信装置は、受信したサービス付加情報および番組の予約記録に関する情報を第１の記憶部２５に記録する制御を行い、該第１の記憶部２５に記録された番組の予約記録に関する情報に基づいて予約記録目的番組を第２の記憶部２６に記録する制御を行い、かつ、番組の記録予約をした後に、当該予約記録目的番組の放送時間の変更情報を含むサービス付加情報を受信した時、この変更により、既に記録予約されている予約記録目的番組の記録時間の重複が生じるか否かを調べる記憶部制御手段２３ｈと、該記憶部制御手段２３ｈが複数の予約記録目的番組の記録時間の重複を検知したときに、この重複した複数の予約記録目的番組のサービス付加情報のうち所定の情報を比較し、この比較結果に基づいて、記録時間が重複した部分について上記複数の予約記録目的番組のうちのいずれか一つを選択し、その番組を記録する決定をする比較・決定手段２３ｇとを備えた構成である。従って、複数の番組の記録予約の後に、当該予約記録目的番組の放送時間が変更されたことにより、複数の予約記録目的番組の記録時間の重複が生じた場合にも、自動的にユーザにとって好ましい番組の記録を行うことができる。
【００２１】
ところで、上記の複数の番組の記録予約をしている場合に、そのうちの１つの番組の放送時間の変更により、はじめは記録時間の重複がなかったにも拘らず、記録時刻の重複が生じる場合がある。以下、このような場合における、本実施の形態１の情報受信装置の変更記憶手段に関する動作について具体的に説明する。
【００２２】
図６（ａ）　は画面に表示されたＥＰＧの一例を示す図であり、１９９６年　７月３１日の第１チャンネル（１ｃｈ）、第３チャンネル（３ｃｈ）及び第５チャンネル（５ｃｈ）の２０時から２３時までのＥＰＧを表示している。この図６（ａ）　で網掛け処理が施されている第１チャンネルの「プロ野球：○○ＶＳ△△」と、第３チャンネルの「ＭＯＶＩＥ：ジュラシックランド」はそれぞれ記録予約されている番組であること、すなわち予約記録目的番組であることを示している。ここで、「プロ野球○○ＶＳ△△」の放送が始まり、第２の記憶手段２６に記録されつつある状態のときに、「プロ野球○○ＶＳ△△」の放送時間が２０分延長されることになったとする。このとき、「プロ野球○○ＶＳ△△」の放送時間が２０分延長されるという放送時間の変更情報を含んだサービス付加情報が送信側から送信され、情報受信装置１００は、この更新情報を含んだサービス付加情報を受信する（図１２のステップ８）。このサービス付加情報はチャンネルデコード部１７でデコード処理され、多重分離部１８，関連情報処理部２０，及び情報合成部２１を介して入出力情報制御部２３に入力される。入出力情報制御部２３に入力された更新情報は、記憶部制御手段２３ｈに入力される。更新情報を受け取った記憶部制御手段２３ｈは、第１の記憶部２５に記録されているＥＰＧに当該サービス付加情報の示す番組が記載されていることを確認し（図１２のステップ９）、更新内容に基づいて記録内容を更新し（図１２のステップ１１）、当該番組が他の複数の予約記録目的番組の記録時間に重複が生じないか否かを判断する（図１２のステップ１２）。この例においては、現に記録中の番組が２１時からの２０分間に第３チャンネルの「ＭＯＶＩＥ：ジュラシックランド」と記録する時間が重複することがわかる。なお、前記ステップ９で時間変更に該当する番組がＥＰＧにないときは、受信したサービス付加情報は放棄される（図１２のステップ１０）。更に、前記ステップ１２で、記録時間の重複が検知されないときは、この放送時間の変更処理はこの時点で終了する（図１２のステップ１３）。
【００２３】
記憶部制御手段２３ｈにおいて、複数の予約記録目的番組の記録時間に重複が生じることが検知された場合、比較・決定手段２３ｇは、第１の記憶部２５に記憶されている「プロ野球：○○ＶＳ△△」および「ＭＯＶＩＥ：ジュラシックランド」のサービス付加情報を読み出し、これらを比較して重複した時間にどちらの番組を記録するかを決定する（ステップ１４）。サービス付加情報は、例えば、番組のデータサイズに関する情報，番組の視聴料に関する情報即ち課金情報，番組の配信時間が固定であるか否か即ち番組がビデオオンデマンドもしくはニアビデオオンデマンドの番組であるか又は一回配信のみの番組であるかに関する情報，番組がシリーズ物の番組であるか又は単品物の番組であるかに関する情報等のさまざまな情報を含むことが考えられる。本実施の形態１の情報受信装置の比較・決定手段２３ｇは、各番組のサービス付加情報に含まれるこれらの情報のうち所定の情報を比較し、所定の基準に基づいて記録時間が重複した複数の番組のうちのいずれの番組を記録するかを決定するものである。上記所定の情報は、ユーザが外部信号入力部２２を介して予め設定することができる。
【００２４】
例えば、比較する情報として、番組の課金情報を用いるのであれば、比較・決定手段２３ｇは、サービス付加情報から両番組の課金情報を調べ、「プロ野球」のほうが［ＭＯＶＩＥ］より課金額が高い場合は「プロ野球」を継続して最後まで記録し、「プロ野球」の記録が終了した後に［ＭＯＶＩＥ］を記録するという決定をし、記憶部制御手段２３ｈは第１の記憶部２５のＥＰＧ及び番組記録予約情報の内容を上記決定内容に基づいて変更し（ステップ１５と１６）、この変更後の番組記録予約情報に基づいて第２の記憶部２６への番組記録をする。
【００２５】
上記の実施の形態１の情報受信装置において、ユーザによる番組の記録予約の後に番組の放送時間の変更が生じ複数の番組の記録時間が重複し、入出力情報制御部２３の比較・決定手段２３ｇがいずれか一方の番組を記録することを自動的に決定した場合、通常、ユーザはかかる決定がなされたことを知り得ないものである。しかし、図１に示す情報受信装置に、かかる決定がなされたことを表示するＬＥＤ等による表示手段、あるいはかかる決定がなされたことをユーザが携帯する携帯電話等の移動体通信装置に通信する通信手段を備えた構成とすれば、ユーザが、番組記録予約の内容が変更されたことを認識することができる。また、上記決定の表示に加えて、上記実施の形態１の情報受信装置において、番組表作成手段２３ｉが、この決定の内容を含むＥＰＧを作成し、ユーザの要求に応じ、このＥＰＧをモニタ画面上に表示するようにすれば、番組の記録予約の内容がどのように変更されたかを、ユーザが一目で認識できる。図６（ｂ）　はこの変更内容を含むＥＰＧの一例を示す図である。図６（ｂ）　の例に示すように、決定の変更内容を含むＥＰＧにおいては、予約記録目的番組のセルであるにも拘わらず、記録されない部分には網かけが施されておらず、番組中のどの時間帯が実際に記録されるのかが視覚的に明瞭となるような表示を行っている。
【００２６】
また、上記実施の形態１の説明では、複数の番組の記録時間の一部が重複した場合に、記録時間が重複していない部分はそれぞれの番組を記録し、重複した部分についていずれか一方の番組を選択して記録するものについて述べたが、選択の単位を番組単位で行うようにしてもよい。すなわち、比較・決定手段２３ｇが番組の選択を行う際に、選択されなかった番組については、記録時間が重複している部分のみならず、記録時間が重複していない部分もすべて記録しないという決定を行うようにしてもよい。このような決定をする構成とすれば、番組記録に対して視聴料が課金される場合に、番組の一部しか記録できなかったにもかかわらず、視聴料が課金されるという不利益を避けることができる。
【００２７】
上記実施の形態１による情報受信装置では番組の記録予約操作の後に番組の放送時間の変更により複数の番組の記録時間が重複した場合に、入出力情報制御部２３の中の比較・決定手段２３ｇが自動的にいずれの番組を記録するかを決定する構成としたものであった。
【００２８】
以下、実施の形態１による情報受信装置の第１の変形例について説明する。
この第１の変形例は図４に示す構造を有しており、その動作は図１３のステップ１７から２２に示す通りである。このうちステップ１７から２１は前記ステップ８から１２と全く同一であり、その説明は省略する。本変形例の入出力情報制御部２３０は複数の番組の記録時間の重複が生じたことを検出するだけでいずれの番組を記録するかの決定は行なわず（図１３のステップ２１）、記録時間の重複が生じたことを、例えば、ＬＥＤ２８等による表示手段を点灯させて表示して（図１３のステップ２２）、ユーザに知らせる構成としたものである。このような構成とすれば、ユーザはＬＥＤ２８が点灯していることによって複数の番組の記録時間が重複したことを認識することができ、記録時間が重複した複数の番組のいずれを記録するかを考えて再度記録予約操作を行うことができる。従って、ユーザにとって望ましい番組記録を行うことができるものである。尚、前記入出力情報制御手段２３０は番組を記録するか否かの決定はしないとしたが、前記図１の入出力情報制御手段２３を用いて番組の記録予約をするときは、図１３のステップ２３から２５に示すように、放送時間が変更された番組が記録予約番組であれば該変更内容に基づいて番組記録予約情報を変更し、記録予約番組でなければこの作業は終了する（図１３のステップ２４）。
【００２９】
しかし、複数の番組の記録時間が重複した場合に、ユーザが外出等しており情報受信装置の近くにいない場合は、上記のようなＬＥＤ２８の点灯による表示ではユーザが複数の番組の記録時間が重複したことを認識することができない。その対策として、入出力情報制御部で複数の番組の記録時間の重複が生じたことを検出したときにユーザが携帯する携帯電話等の移動体通信装置に複数の番組の記録時間が重複したことを通信する通信手段を備えた情報受信装置を構成とすることができる。これによりユーザは情報受信装置から離れた場所にいるときでも、複数の番組の記録時間が重複したことを認識することができる。また、上述のようにユーザが外出先で予約番組の記録時間の重複を認識したときに、一般電話，携帯電話，ＰＨＳ，ＰＤＡから情報受信装置のある自宅へ電話をし、ＤＴＭＦを利用したり、音声合成，音声認識等を用いて情報受信装置にどの番組を記録させるかを指示することができる構成としてもよい。
【００３０】
次に、比較・決定手段２３ｉの比較対象となる情報について述べる。
上記実施の形態１の情報受信装置において、入出力情報制御部２３の比較・決定手段２３ｇは、各番組のサービス付加情報に含まれる課金情報を比較して記録すべき番組を選択した例を示したが、サービス付加情報に含まれる課金情報以外の情報を比較して記録すべき番組を選択するようにしてもよい。
【００３１】
また、比較すべき情報を固定とするのではなく、ユーザがサービス付加情報のうちの希望する特定の情報を指定する指示を外部入力手段、例えばリモートコントロール装置や、キーボード等、から入出力情報制御部に与えて、ユーザのより好ましい番組を記録できるように設定する構成としてもよい。
サービス付加情報に料金割引情報が含まれている場合には、料金割引情報が添付されている番組を優先的に記録することも可能である。
【００３２】
次に、比較するサービス付加情報のうちの情報として、番組の配信時間が固定であるか否か、即ち、番組がビデオオンデマンドもしくはニアビデオオンデマンドであるかまたは一回配信のみの番組であるか、に関する情報を用いる例について少し詳しく説明する。この場合は、比較・決定手段２３ｇは、記録時間が重複した複数の番組のいずれの番組を記録するかの選択を、例えば以下のように行う。すなわち、重複する番組の一方が配信時間固定、即ち、一回配信のみで他方がニアビデオオンデマンド又はビデオオンデマンドであることを検知した場合は、配信時間固定番組を優先して記録予約し、ニアビデオオンデマンド又はビデオオンデマンドの番組は記録時間の重複が生じない他の時間に記録予約するように記録時間の変更を行う決定をする。このとき、配信時間固定の番組であっても再放送等されることが予め分かっており、その再放送ありの情報，再放送のチャンネル及び日時等の情報サービス付加情報に含まれている番組はニアビデオオンデマンド又はビデオオンデマンドの番組と同様に扱うようにしてもよい。
【００３３】
また、再放送される配信時間固定の番組をこのように扱う場合に、記録時間変更の上限値、例えば１ヶ月、を設定して、その期間内に再放送される番組であればこの番組の記録時間を再放送の時間に変更し、再放送の日時がこの上限値を越えるものである場合はその番組を配信時間固定の番組として扱うようにしてもよい。
【００３４】
また、サービス付加情報に含まれる番組課金ポイントと情報受信装置側で保持する番組視聴可能ポイントに基づいて記録されるべき番組を決定するようにしてもよい。このポイントは視聴料金の額をポイントで表現したものである。この場合の動作の一例を以下に説明する。たとえば、番組Ａと番組Ｂの記録時間が重複した場合、比較・決定手段２３ｇは第１の記憶手段から番組ＡとＢのサービス付加情報の中の番組課金ポイントを読み出し、番組Ａの課金ポイントと番組Ｂの課金ポイントの和が番組視聴可能ポイントより大きい場合、番組ＡとＢのどちらかの課金ポイントが番組視聴可能ポイントより大きければ、課金ポイントが番組視聴可能ポイント以内の方の番組を記録して他方は記録しないとする決定をすることができる。番組ＡとＢのいずれの課金ポイントも番組視聴可能ポイント以内であれば、課金ポイントの高い方の番組を記録して他方は記録しないとする決定をすることもできる。一方、番組Ａの課金ポイントと番組Ｂの課金ポイントの和が番組視聴可能ポイント以内である場合は、記録時間が重複していない部分についてはそれぞれの番組を記録し、記録時間が重複している部分については課金ポイントの高い方の番組を記録する決定をすることもできる。
【００３５】
なお、上記の説明で課金ポイントが高い方の番組を記録するかわりに課金ポイントが低い方の番組を記録することを決定するようにユーザが設定できる構成としてもよい。
また、サービス付加情報に含まれる番組のデータサイズに関する情報とコンテンツを記録する第２の記憶部２６の記憶容量に基づいて記録されるべき番組を決定するようにしてもよい。この場合の動作の一例を以下に説明する。
【００３６】
たとえば、番組Ａと番組Ｂの記録時間が重複した場合、比較・決定手段２３ｇは第１の記憶手段２５から番組ＡとＢのサービス付加情報の中の番組のデータサイズに関する情報を読み出し、番組Ａのデータサイズと番組Ｂのデータサイズの和から番組ＡとＢの重複部分のデータサイズを引いた値が第２の記憶部２６の残りの記憶容量より大きい場合、全体としては番組終了時刻が後のほうの番組の優先度を下げ、コンテンツの最後の部分は記憶部の容量が許すかぎり記録を行うようにすることができる。記録時間が重複する部分については先の番組を記録することを決定し、少なくとも一方の番組は完全な記録が出来るようにする。
【００３７】
一方、番組Ａのデータサイズと番組Ｂのデータサイズの和から番組ＡとＢの重複部分のデータサイズを引いた値が記憶部の残容量より小さい場合、記録時間が重複していない部分についてはそれぞれの番組を記録し、記録時間が重複する部分については番組のデータサイズが小さい方の番組を記録することを決定することもできる。これはデータサイズの大きい番組は番組全体における重複部分のデータサイズの比率が小さく、番組を観賞する上で記録されないことによる影響が小さいと考えられることによるものである。
なお、上記の説明で記録時間が重複する部分についてデータサイズが小さい方の番組を記録するかわりにデータサイズが大きい方の番組を記録することを決定するようにユーザが設定できる構成としてもよい。
【００３８】
また、上記実施の形態１の情報受信装置において、入出力情報制御部２３の比較・決定手段２３ｇは、各番組のサービス付加情報に含まれる情報のみを比較して記録すべき番組を決定したが、比較・決定手段が各番組のサービス付加情報に含まれる情報以外の情報をも考慮して記録すべき番組を決定する構成としてもよい。たとえば、図５に示す変形例のように、上り回線を通じてユーザの支払い口座の残高を調べ、各番組の課金額と比較して、残高から支払いが可能な番組を選択することも可能である。
【００３９】
次に実施の形態１による情報受信装置の第２の変形例について説明する。
図８は情報受信装置の第２の変形例の構成を示す。これは実施の形態１の情報受信装置にユーザーの視聴傾向を調査する視聴傾向調査手段３０を設けたものである。該視聴傾向調査手段３０はユーザが過去に視聴した番組のジャンルに関する情報を記録し、それに統計処理を加え、ユーザの視聴傾向を調査するものである。この視聴傾向を的確に行うために、情報の送り手側で番組のジャンルをコード化してサービス付加情報に付加することもできる。
以上のように、視聴傾向調査手段３０を設け、複数の番組の記録時間が重複したときに、比較・決定手段２３ｇが各番組のサービス付加情報の中のジャンル情報と視聴傾向調査手段３０に記録されている視聴傾向情報とを比較して、ユーザの視聴傾向と同じ、または類似する番組を記録すべき番組と決定することができる。
【００４０】
実施の形態２．
上記実施の形態１による情報受信装置は、番組の記録予約の後に番組の放送時間の変更により複数の番組の記録時間が重複した場合に、入出力情報制御部２３の比較・決定手段２３ｇが自動的に記録する番組を決定するものについて示したが、本実施の形態２による情報受信装置は組の記録予約をする際に、記録予約しようとした番組が既に記録予約されている番組との間で記録時間の重複が生じた場合に、入出力情報制御部が自動的にいずれの番組を記録するかを決定する構成としたものである。
【００４１】
以下、実施の形態２による情報受信装置について、その構成，及び動作を説明する。
かかる実施の形態２による情報受信装置の全体の構成は図１に示す実施の形態１の情報受信装置と全く同じである。また、その入出力情報制御部２３の構成も図２に示すものと同じである。また、該記憶部制御手段２３ｈの動作も実施の形態１の情報受信装置と同じであるが、その動作のタイミングが異なる。即ち、実施の形態１による情報受信装置では１つの予約記録目的番組の放送時間の変更を検知した時に動作するものであるが、実施の形態２による情報受信装置では１つの番組の記録予約を行う都度、前記記憶制御部２３ｈが記録時間の重複を検知する動作を行う。この動作はユーザーが記録予約を行うケースと、情報受信装置が自動的にそれを行うケースも含まれる。
【００４２】
以下、ユーザーが記録予約を行うケースの動作について説明する。ユーザーはＥＰＧをモニタ画面に表示して（図１４のステップ２７）番組の記録予約を行うのであるが、放送されているチャンネル数が多い場合、ＥＰＧは、一画面中に全チャンネルの関連する番組を表示できないため、ユーザはＥＰＧの画面を切り替えて記録予約をしたい番組を探すこととなる。この場合、複数の番組をＥＰＧの異なる画面で選択する際に、誤って記録時間の重複が生じる場合がある。このような場合に、図２の記憶部制御手段２３ｈが、記録予約された複数の番組のサービス付加情報の時刻情報を比較して、記録時間が重複しているか否かを判断する（図１４のステップ２８）。記憶部制御手段２３ｈが、記録予約された複数の番組の記録時間が重複していることを検知すると、比較・決定手段２３ｇは、第１の記憶部２５に記録されている当該記録時間が重複した複数の番組のサービス付加情報を読み出し、所定の基準に基づいてこの複数の番組のサービス付加情報の中の所定の情報を比較し、いずれの番組を記録するかを決定する（図１４のステップ３１）。その決定結果として選択されなかった番組のＥＰＧと番組記録予約を、決定結果に従って訂正する（図１４のステップ３２と３３）。尚、前記ステップ２８で記録時間の重複がないときは、当該番組をＥＰＧに追記し（図１４のステップ２９）、番組記録予約情報を作成する（図１４のステップ３０）。
【００４３】
上記所定の情報は予めユーザが指定しておくことができる。
次に上記動作について具体的な例を示す。たとえば、ユーザが、図７（ａ）　に示すようなＥＰＧの画面上で第３チャンネルの「ＭＯＶＩＥ：ジュラシックランド」を記録予約する場合について説明する。
【００４４】
モニタの現在の画面上では表示されていない図７（ｂ）　の画面に示すように第５１チャンネルの「ＭＯＶＩＥ：今、そこにある木々」が記録予約されていたとする。これら２つの番組は、記録時間が重複しているので、この重複を記憶部制御手段２３ｈが検知する。そして、比較・決定手段２３ｇは、第１の記憶部２５に記録されている当該記録時間が重複した両方の番組のサービス付加情報を読み出し、所定の基準に基づいて、例えば、上記実施の形態１の説明で述べたような番組課金額情報どうしの比較，各番組のデータサイズ情報と記憶部残容量との比較，または視聴傾向と各番組のジャンルとの比較等を行い、その結果に基づいて、記録すべき番組を決定する。そして、記憶部制御手段２３ｈは、比較・決定手段２３ｇの決定結果に基づいて、ＥＰＧと番組記録予約情報を変更して第１の記憶手段２５に記録し、この番組記録予約情報に基づいて番組を第２の記憶部２６に記録する。
【００４５】
このような実施の形態２による情報受信装置は、ユーザが予約記録番組の設定を行っているときに、設定しようとしている番組の記録時間が既に記録予約されている予約記録目的番組の記録時間と重複した場合、入出力情報制御部２３が所定の基準に基づいて自動的に記録されるべき番組を決定し、記録予約を行う構成である。従って予約記録の設定を再度行うことなく、自動的にユーザにとって好ましい番組の記録を行うことができ、記録予約の操作性を向上することができる。また、ユーザが記録予約をする代わりに、情報受信装置が自動的に行うケースでも同様な動作をさせることができる。
【００４６】
なお、上記実施の形態２の情報受信装置では、ユーザは図７（ａ）　に示す画面上で予約記録の設定を行うので、番組の記録時間の重複が生じ、番組選択の決定がなされたことを認識することができないこともある。図１に示す情報受信装置に、かかる番組の選択がなされたことを表示するＬＥＤ等による表示手段を備えた構成とすれば、ユーザが、番組記録予約の内容が変更されたことを認識することができる。
【００４７】
また、図１に示す情報受信装置に、かかる決定がなされたことをユーザが携帯する携帯電話等の移動体通信装置に通信する通信手段を備えた構成とすれば、ユーザが外出等により情報受信装置の側にいない時でも、ユーザは、ユーザの家族等他の人が番組の記録予約操作を行ったことにより、番組記録予約の内容が変更されたことを認識することができるものである。
【００４８】
また、上記決定の表示に加えて、上記実施の形態２における情報受信装置において、番組表作成手段２３ｉが、この決定の内容を含む番組表即ちＥＰＧを作成し、ユーザの要求に応じ、このＥＰＧをモニタ画面上に表示するようにすれば、番組の記録予約の内容を、ユーザが一目で認識できるものである。図７（ｃ）　は決定の内容を含むＥＰＧの一例を示す図である。すなわち、番組表作成手段２３ｉは、同一画面上に重複した番組を表示するように、チャンネル順序を重複した番組のチャンネルが隣り合わせとなるように入れ替えるとともに、その決定結果を、同一画面上の両番組に表示する様にする。図７（ｃ）　に示す例では、決定により選択された番組「ＭＯＶＩＥ：ジュラシックランド」のセルに網かけ装飾を施し、選択されなかった番組「ＭＯＶＩＥ：今、そこにある木々」のセルには＊＊の印を付与している。尚、この図７（ｃ）　は、選択されなかった「ＭＯＶＩＥ：今、そこにある木々」は全く記録しないことを決定した表示である。
これにより、ユーザは簡単に重複した番組名，重複時間等を知ることができるとともに、どの予約記録目的番組を記録する事にしたのかを一目で認識することができる。なお、決定の内容を含むＥＰＧを、ユーザの要求に応じて表示するのではなく、入出力情報制御部２３が番組選択の決定を行なったときは常に、自動的にモニタ画面上に表示する構成としてもよい。
【００４９】
また、上記実施の形態２の情報受信装置は、番組の記録時間の重複が生じた場合に、入出力情報制御部２３の比較・決定手段２３ｇが自動的に記録する番組を決定する構成としたものである。
【００５０】
ここで、入出力情報制御部２３は複数の番組の記録時間の重複が生じたことを検出するだけでいずれの番組を記録するかの決定は行なわないケースも考えられる。この場合、ユーザがＥＰＧの特定番組の記録予約をするとき（図１５のステップ３４）、先ず、第１記憶部２５からＥＰＧを読み出し（図１５のステップ３５）、当該番組の放送時間が既に記録予約されている他の予約記録目的番組の記録時間と重複しているか否かを検知する（図１５のステップ３６）。重複が検知されると、入出力情報制御部２３の番組表作成手段２３ｉが、同一画面上に重複した番組が表示されるように、表示するチャンネル順序を変更し、重複した番組のチャンネルが隣り合わせとなるように入れ替えたＥＰＧを作成し、この重複した内容をモニタの同一画面上に表示する構成としてもよい（図１５のステップ３７）。このような構成とすれば、ユーザは表示されたＥＰＧを見ることによって複数の番組の記録時間が重複したことを認識することができ、記録時間が重複した複数の番組のいずれを記録するかを考えて再度記録予約操作を行うことにより、ユーザにとって望ましい番組の記録を行うことができるものである（図１５のステップ３８）。尚、前記ステップ３６で重複が検知されないときは、ＥＰＧ上の当該番組に記録予約の識別記号を付し（図１５のステップ３９）、更に、当該番組の番組記録予約情報を作成し、第１記憶部２５に記録する（図１５のステップ４０）。
【００５１】
実施の形態３．
上記実施の形態１と２による情報受信装置は、複数の番組の記録時間が重複した場合に、入出力情報制御部２３の中の比較・決定手段２３ｇが自動的にいずれの番組を記録するかを選択するものであった。本発明の実施の形態３による情報受信装置は複数の番組の記録時間が重複した場合に、記録時間が重複した部分について両方の番組を一定時間単位ごとに区切って交互に記録する構成としたものである。
【００５２】
以下、実施の形態３による情報受信装置について、その構成及び動作を説明する。かかる実施の形態３による情報受信装置の全体の構成は図１に示す実施の形態１または２の情報受信装置と全く同じである。また、その入出力情報制御部２３の構成も図２に示すものと同じであるが、記憶部制御手段２３ｈが番組の記録時間の重複を検知したときに、比較・決定手段２３ｇが記録する番組を決定する代わりに両方の番組を一定時間単位ごとに区切って交互に記録する決定を行う点が異なる。
【００５３】
すなわち、本実施の形態３による情報受信装置では、記録予約をする時あるいはその後に、複数の予約記録目的番組の記録時間の重複が生じた場合に、図２の記憶部制御手段２３ｈが、この記録時間の重複を検知し、比較・決定手段２３ｇは、第１の記憶部２５に記録されている，当該記録時刻が重複した複数の番組のサービス付加情報を読み出し、所定の基準に基づいてこの複数の番組のサービス付加情報を比較し、記録時間が重複した部分については両方の番組を所定の比率で交互に記録することを特徴としたものである。
【００５４】
次に、これを図９を用いて具体的に説明する。たとえば、第１チャンネルの番組Ａと第３チャンネルの番組Ｂが記録予約され、これらの記録時間が８：００〜８：３０の間重複する場合について以下説明する。比較・決定手段２３ｇは、第１の記憶部に記録されている当該記録時刻が重複した両方の番組のサービス付加情報を読み出し、所定の基準に基づいてこの複数の番組のサービス付加情報を比較し、この８：００〜８：３０の間の番組の記録形式を決定する。図９は重複時間における記録形式の一例を示す図であり、この例では、８時から８時６分までの６分間は番組Ａの（ａ−１）を記録し、８時６分から８時８分までの２分間は番組Ｂの（ｂ−１）を記録し、８時８分から８時１４分までの６分間は番組Ａの（ａ−２）を記録し、８時１４分から８時１６分までの２分間は番組Ｂの（ｂ−２）を記録し、８時１６分から８時２２分までの６分間は番組Ａの（ａ−３）を記録し、８時２２分から８時２４分までの２分間は番組Ｂの（ｂ−３）を記録し、８時２４分から８時３０分までの６分間は番組Ａの（ａ−４）を記録するようにしている。このように、番組Ａを一定時間、この例では６分間、記録した後に、番組Ｂを一定時間、この例では２分間、記録し、以降、これを繰り返して行い、記録時間が重複した時間については両方の番組を交互に記録する。ここで、それぞれの番組を記録する単位時間は、両番組の優先度に応じて所定の比率とすることもできる。また、優先度の判断は、上記実施の形態１又は２と同様に、両番組のサービス付加情報の比較，あるいはサービス付加情報と他の情報の比較に基づいて行えばよい。ここで、このように分割された各番組のコンテンツを第２の記憶部２６に記録する際、分割されたそれぞれの番組のコンテンツの記録形式に関するサービス付加情報を作成し、番組のコンテンツと共にこのサービス付加情報を記録する。このサービス付加情報には、記録終了後に、分割された各番組のコンテンツをそれぞれの番組毎に連続して再生することを可能とするために、「他に関係したコンテンツがあること」，「個々のコンテンツの再生順序」等の情報が含まれる。
【００５５】
すなわち、番組Ａのコンテンツの一部である（ａ−１）には、サービス付加情報として、この部分のデータ名が（ａ−１）であること、またこれ以外にも（ａ−２）〜（ａ−４）のデータ名が付された関係するコンテンツが存在すること、及び再生時には（ａ−１），（ａ−２），（ａ−３），（ａ−４）の順に連続して再生すること等の情報が一緒に記録されているものである。
【００５６】
このように、サービス付加情報を分割されたコンテンツと一緒に記録することにより、ユーザが記録された番組の再生を行うときには、図１０（ａ）　と図１０（ｂ）　に示すように、記録時間が重複しておらず、通常記録された部分はそのまま再生され、記録時間が重複しており交互に記録された部分は一緒に記録された上記サービス付加情報に基づいてつなぎ合わされて連続して再生される。
【００５７】
このような実施の形態３による情報受信装置では、予約記録目的番組の記録時間が重複した場合、入出力情報制御部２３が所定の基準に基づいて、記録時間が重複した部分について、両方の番組を所定の比率で交互に記録することを決定する構成としたから、複数の番組の記録時間が重複した場合でも、ユーザにとって好ましい番組記録を自動的に行うことができる。
【００５８】
実施の形態４
上記実施の形態１、２および３による情報受信装置は、いずれも番組の放送時間の変更による予約記録目的番組の記録時間の重複に係わる問題の解決に関するものである。本実施の形態４による情報受信装置は、サービス付加情報で新しく紹介された番組を記録予約するか否かの判断を情報受信装置が自動的に行い、その結果を実行するものである。
【００５９】
本情報受信装置は、請求項４に記載の情報受信装置に、過去に記録予約した番組のジャンルに関する情報を記録し、それを分析してユーザの視聴傾向を調査する視聴傾向調査手段３０を追加するとともに、上記比較・決定手段２３ｇにサービス付加情報に付加された番組のジャンルに関する情報と該視聴傾向調査手段による視聴傾向とを比較し、その結果に基づいて該番組を記録予約するか否かを判断する機能を追加したものである。
【００６０】
本情報受信装置の動作について、その特徴点のみを以下に記述する。
サービス付加情報の送り手がその番組のジャンルに関する情報を記載したサービス付加情報を受信し、その番組のジャンル情報を取り出す（図１６のステップ４１）。
【００６１】
上記視聴傾向調査手段３０は、過去に記録予約した番組のジャンルの分析を行い、その記録予約の頻度の高いジャンルに高い記録優先順位を付加し（図１６のステップ４２）、当該ジャンル別記録予約優先順位を用いて、記録予約するジャンルを決定する（図１６のステップ４３）。本情報受信装置が新しいサービス付加情報を受信した時、上記比較・決定手段２３ｇが当該サービス付加情報のジャンルが上記記録予約するジャンルに含まれているか否かを判断し（図１６のステップ４４）、その判断結果に基づいて記録予約するか否かを判断し、記録予約をする時は、ＥＰＧの当該番組のセルに記録予約の記号を付すとともに（図１６のステップ４６）、予約記録目的番組の内容を記載した番組記録予約情報を作成する（図１６のステップ４７）。従って、ユーザが記録予約の判断およびその設定操作を行わなくても、ユーザの好みに合った番組の記録予約、従ってその番組の記録ができる。尚、前記ステップ４４で記録予約を行わないことを決定したときは、前記取り出したジャンル情報は放棄される（図１６のステップ４５）。
また、記録する番組のジャンルはユーザが直接入力することもできる。
【００６２】
【発明の効果】
以上のように、本発明の請求項１に係る情報受信装置によれば、番組及び番組に関連する情報であるサービス付加情報を受信する情報受信手段と、前記情報受信手段が受信したサービス付加情報に基づいて作成された電子番組ガイドを用いて所望の番組を記録予約する予約入力手段と、前記予約入力手段により記録予約された番組である予約記録目的番組の記録時間の重複を前記サービス付加情報から検出する記憶部制御手段と、前記記憶部制御手段により記録時間の重複が検出された複数の予約記録目的番組の属するチャンネルが隣接表示されるように前記電子番組ガイドを再構成する番組表作成手段とを備えたことから、電子番組ガイドの異なる画面において複数の予約記録目的番組の記録時間に重複が生じた場合に、ユーザがこれを一目で確認することができる。
【００６３】
また、本発明の請求項２に係る情報受信方法によれば、番組及び番組に関連する情報であるサービス付加情報を受信するステップと、前記サービス付加情報に基づいて作成された電子番組ガイドを用いて所望の番組を記録予約するステップと、前記記録予約された番組である予約記録目的番組の記録時間の重複を前記サービス付加情報から検出するステップと、前記記録時間の重複が検出された複数の予約記録目的番組の属するチャンネルが隣接表示されるように前記電子番組ガイドを再構成するステップとを有することから、電子番組ガイドの異なる画面において複数の予約記録目的番組の記録時間に重複が生じた場合に、ユーザがこれを一目で確認することができる。
【図面の簡単な説明】
【図１】本発明の実施の形態１による情報受信装置、及び、それに関連する送信装置の構成を示す図である。
【図２】本発明の実施の形態１による情報受信装置の入出力情報制御部２３の詳細な構成を示す図である。
【図３】第１の記憶部に記録される番組記録予約情報の一例を示す図である。
【図４】本発明の実施の形態１による情報受信装置の変形例の構成を示す図である。
【図５】本発明の実施の形態１による情報受信装置の別の変形例の構成を示す図である。
【図６】本発明の実施の形態１による情報受信装置においてモニタ画面上に表示されるＥＰＧの一例を示す図（図６（ａ）　）、及び実施の形態１による情報受信装置のモニタ画面上に表示される記録予約変更後のＥＰＧの一例を示す図（図６（ｂ）　）である。
【図７】本発明の実施の形態２による情報受信装置，及びその変形例の動作を説明するためのＥＰＧの例を示す図である。
【図８】本発明の実施の形態１による情報受信装置の変形例の構成を示す図である。
【図９】本発明の実施の形態３による情報受信装置の記録動作を説明するための図である。
【図１０】本発明の実施の形態３による情報受信装置の番組Ｂの再生動作を説明するための図（図１０（ａ）　）、及び本発明の実施の形態３による情報受信装置の番組Ａの再生動作を説明するための図（図１０（ｂ）　）である。
【図１１】本発明の実施の形態１による情報受信装置のサービス付加情報を記録する動作のフローを示す図（図１１（ａ）　）、及び本発明の実施の形態１による情報受信装置の番組を記録予約する動作のフローを示す図（図１１（ｂ）　）である。
【図１２】本発明の実施の形態１による情報受信装置の番組の記録予約の変更をする動作のフローを示す図である。
【図１３】本発明の実施の形態１及び５による情報受信装置の番組の放送時間の変更に伴う動作のフローを示す図である。
【図１４】本発明の実施の形態２による情報受信装置の記録予約に関する動作のフローを示す図である。
【図１５】本発明の実施の形態１と２による情報受信装置においてユーザが番組の記録予約をする動作のフローを示す図である。
【図１６】本発明の実施の形態４による情報受信装置の記録予約を自動的に行う動作のフローを示す図である。
【符号の説明】
１１　　情報源
１２　　情報エンコード部
１３　　関連情報生成部
１４　　多重化部
１５　　チャンネルエンコード部
１６　　伝送路
１７　　チャンネルデコード部
１８　　多重分離部
１９　　情報デコード部
２０　　関連情報処理部
２１　　情報合成部
２２　　外部信号入力部
２３，２３０　　入出力情報制御部
２３ａ　　ＣＰＵ
２３ｂ　　プログラムＲＯＭ
２３ｃ　　ワークＲＡＭ
２３ｄ　　情報入出力手段
２３ｅ　　外部信号入力手段
２３ｆ　　時計手段
２３ｇ　　比較・決定手段
２３ｈ　　記憶部制御手段
２３ｉ　　番組表作成手段
２４　　情報出力部
２５　　第１の記憶部
２６　　第２の記憶部
３０　　視聴傾向調査手段
１００　　情報受信装置
１５０　　記憶手段
【図１】
2004056795.tif 000003
【図２】
2004056795.tif 000004
【図３】
2004056795.tif 000005
【図４】
2004056795.tif 000006
【図５】
2004056795.tif 000007
【図６】
2004056795.tif 000008
【図７】
2004056795.tif 000009
【図８】
2004056795.tif 000010
【図９】
2004056795.tif 000011
【図１０】
2004056795.tif 000012
【図１１】
2004056795.tif 000013
【図１２】
2004056795.tif 000014
【図１３】
2004056795.tif 000015
【図１４】
2004056795.tif 000016
【図１５】
2004056795.tif 000017
【図１６】
2004056795.tif 000018
【手続補正書】
【提出日】平成15年11月20日(2003.11.20)
【手続補正１】
【補正対象書類名】明細書
【補正対象項目名】特許請求の範囲
【補正方法】変更
【補正の内容】
【特許請求の範囲】
【請求項１】
番組及び番組に関連する情報であるサービス付加情報を受信する情報受信手段と、
前記情報受信手段が受信したサービス付加情報に基づいて作成された電子番組ガイドを用いて所望の番組を記録予約する予約入力手段と、
前記予約入力手段により記録予約された番組である予約記録目的番組の記録時間の重複を前記サービス付加情報から検出する記憶部制御手段と、
前記記憶部制御手段により記録時間の重複が検出された複数の予約記録目的番組の属するチャンネルが隣接表示されるように前記電子番組ガイドを並び替えて再構成する番組表作成手段とを備えた、
ことを特徴とする情報受信装置。
【請求項２】
番組及び番組に関連する情報であるサービス付加情報を受信するステップと、
前記サービス付加情報に基づいて作成された電子番組ガイドを用いて所望の番組を記録予約するステップと、
前記記録予約された番組である予約記録目的番組の記録時間の重複を前記サービス付加情報から検出するステップと、
前記記録時間の重複が検出された複数の予約記録目的番組の属するチャンネルが隣接表示されるように前記電子番組ガイドを並び替えて再構成するステップとを有する、
ことを特徴とする情報受信方法。
【手続補正２】
【補正対象書類名】明細書
【補正対象項目名】０００９
【補正方法】変更
【補正の内容】
【０００９】
【課題を解決するための手段】
上記課題を解決するために、本発明（請求項１）に係る情報受信装置は、番組及び番組に関連する情報であるサービス付加情報を受信する情報受信手段と、前記情報受信手段が受信したサービス付加情報に基づいて作成された電子番組ガイドを用いて所望の番組を記録予約する予約入力手段と、前記予約入力手段により記録予約された番組である予約記録目的番組の記録時間の重複を前記サービス付加情報から検出する記憶部制御手段と、前記記憶部制御手段により記録時間の重複が検出された複数の予約記録目的番組の属するチャンネルが隣接表示されるように前記電子番組ガイドを並び替えて再構成する番組表作成手段とを備えた、ことを特徴とする。


【手続補正３】
【補正対象書類名】明細書
【補正対象項目名】００１０
【補正方法】変更
【補正の内容】
【００１０】
また、本発明（請求項２）に係る情報受信方法は、番組及び番組に関連する情報であるサービス付加情報を受信するステップと、前記サービス付加情報に基づいて作成された電子番組ガイドを用いて所望の番組を記録予約するステップと、前記記録予約された番組である予約記録目的番組の記録時間の重複を前記サービス付加情報から検出するステップと、前記記録時間の重複が検出された複数の予約記録目的番組の属するチャンネルが隣接表示されるように前記電子番組ガイドを並び替えて再構成するステップとを有する、ことを特徴とする。


【手続補正４】
【補正対象書類名】明細書
【補正対象項目名】００６２
【補正方法】変更
【補正の内容】
【００６２】
【発明の効果】
以上のように、本発明の請求項１に係る情報受信装置によれば、番組及び番組に関連する情報であるサービス付加情報を受信する情報受信手段と、前記情報受信手段が受信したサービス付加情報に基づいて作成された電子番組ガイドを用いて所望の番組を記録予約する予約入力手段と、前記予約入力手段により記録予約された番組である予約記録目的番組の記録時間の重複を前記サービス付加情報から検出する記憶部制御手段と、前記記憶部制御手段により記録時間の重複が検出された複数の予約記録目的番組の属するチャンネルが隣接表示されるように前記電子番組ガイドを並び替えて再構成する番組表作成手段とを備えたことから、電子番組ガイドの異なる画面において複数の予約記録目的番組の記録時間に重複が生じた場合に、ユーザがこれを一目で確認することができる。


【手続補正５】
【補正対象書類名】明細書
【補正対象項目名】００６３
【補正方法】変更
【補正の内容】
【００６３】
また、本発明の請求項２に係る情報受信方法によれば、番組及び番組に関連する情報であるサービス付加情報を受信するステップと、前記サービス付加情報に基づいて作成された電子番組ガイドを用いて所望の番組を記録予約するステップと、前記記録予約された番組である予約記録目的番組の記録時間の重複を前記サービス付加情報から検出するステップと、前記記録時間の重複が検出された複数の予約記録目的番組の属するチャンネルが隣接表示されるように前記電子番組ガイドを並び替えて再構成するステップとを有することから、電子番組ガイドの異なる画面において複数の予約記録目的番組の記録時間に重複が生じた場合に、ユーザがこれを一目で確認することができる。